(57)【要約】【課題】  各電気光学素子の階調特性の補正に適用される補正値を容易に決定する。【解決手段】  画像処理装置３１は、複数の画素Ｐを有する電気光学パネルに対して各画素Ｐの階調を示す画像信号VIDを供給する。この画像処理装置３１は、複数の画素Ｐを表示色に応じて区分した各グループについて個別に補正値Ａr、ＡgおよびＡbを取得する補正値取得回路５２と、各画素Ｐに供給されるべき画像信号VIDを、その画素Ｐが属するグループについて補正値取得回路５２が取得した補正値に基づいて補正するグループ別補正回路５１とを有する。グループ別補正回路５１による補正は、上位装置から供給される補正許否信号Ｓaに応じて無効とされる。【選択図】            図２
2005345888.tif 000002
【特許請求の範囲】
【請求項１】
複数の電気光学素子を有する電気光学装置に対して各電気光学素子の階調を示す画像信号を供給する画像処理装置であって、
前記複数の電気光学素子を区分した複数のグループの各々について個別に補正値を取得する取得手段と、
前記各電気光学素子に供給される画像信号を、その電気光学素子が属するグループについて前記取得手段が取得した補正値に基づいて補正する補正手段と、
補正の無効を指示する信号が入力されると前記補正手段による補正を無効にする無効化手段と
を具備することを特徴とする画像処理装置。
【請求項２】
前記複数の電気光学素子の各々は複数の表示色の何れかを表示するものであり、
前記取得手段は、前記複数の電気光学素子を表示色ごとに区分した複数のグループの各々について補正値を取得する
ことを特徴とする請求項１に記載の画像処理装置。
【請求項３】
前記電気光学装置は、各々が電気光学素子を有する複数のサブパネルを連結してなり、
前記取得手段は、前記複数の電気光学素子をサブパネルごとに区分した複数のグループの各々について補正値を取得する
ことを特徴とする請求項１に記載の画像処理装置。
【請求項４】
前記複数の電気光学素子の各々に供給される画像信号を共通の補正値に基づいて補正して前記補正手段に出力する共通補正手段
を具備することを特徴とする請求項１から３の何れかに記載の画像処理装置。
【請求項５】
前記補正手段から出力されて前記複数の電気光学素子の各々に供給される画像信号を共通の補正値に基づいて補正して前記電気光学装置に出力する共通補正手段
を具備することを特徴とする請求項１から３の何れか１項に記載の画像処理装置。
【請求項６】
前記共通補正手段は、この共通補正手段に入力される画像信号の変化に対して、当該共通補正手段から出力される画像信号が非線形に変化するように各画像信号を補正する
ことを特徴とする請求項４または５に記載の画像処理装置。
【請求項７】
各々が画像信号によって示される階調となる複数の電気光学素子と、
前記複数の電気光学素子を区分した複数のグループの各々について個別に補正値を取得する取得手段と、
前記各電気光学素子に供給される画像信号を、その電気光学素子が属するグループについて前記取得手段が取得した補正値に基づいて補正する補正手段と、
補正の無効を指示する信号が入力されると前記補正手段による補正を無効にする無効化手段と
を具備することを特徴とする電気光学装置。
【請求項８】
請求項７に記載の電気光学装置を表示手段として備えたことを特徴とする電子機器。
【請求項９】
複数の電気光学素子を区分した複数のグループの各々について個別に補正値を取得する取得手段と、前記各電気光学素子に供給される画像信号を、その電気光学素子が属するグループについて前記取得手段が取得した補正値に基づいて補正する補正手段とを具備する電気光学装置の制御方法であって、
前記補正手段による補正を無効にしたうえで前記各電気光学素子に所定の画像を表示させる第１過程と、
前記グループごとの補正値を前記取得手段に入力してから前記補正手段による補正を有効にする第２過程と
を有することを特徴とする電気光学装置の制御方法。
【請求項１０】
前記第１過程において、所定の画像を表示させた際の前記各電気光学素子の状態に応じて、前記補正値が決定される
ことを特徴とする請求項９に記載の電気光学装置の制御方法。
【請求項１１】
前記第１過程においては、各グループに属する電気光学素子のみに所定の画像を表示させる処理をグループごとに実行する
ことを特徴とする請求項９または１０に記載の電気光学装置の制御方法。
【発明の詳細な説明】
【技術分野】
【０００１】
本発明は、ＯＬＥＤ（Organic Light  Emitting  Diode）素子などの電気光学素子を備えた電気光学装置に関し、特に、各電気光学素子の階調を指定する画像信号を補正する技術に関する。
【背景技術】
【０００２】
電気光学素子を利用して画像を表示する電気光学装置が各種の電子機器の表示装置として広く普及している。この種の電気光学装置においては、表示画像について所期のホワイトバランスを確保することが表示品位の向上を図るうえで重要な課題となる。このような事情を背景として、例えば特許文献１や特許文献２には、各電気光学素子の階調を指定する画像信号が、赤色、緑色および青色といった各表示色ごとに独立して補正される構成が提案されている。この構成によれば、表示色ごとの補正値を適宜に調整することによってホワイトバランスを改善することができる。
【特許文献１】特開２００１−３４３９４０号公報（段落００２９）
【特許文献２】特開２００３−２９７２４号公報（段落００４０および図８）
【発明の開示】
【発明が解決しようとする課題】
【０００３】
しかしながら、表示色ごとの補正値を独立に選定することができるとはいっても、各補正値を所期のホワイトバランスが実現されるように精度よく選定することは容易でない。本発明は、このような事情に鑑みてなされたものであり、その目的は、各電気光学素子の階調特性の補正に適用される補正値を容易かつ高精度に決定することにある。
【課題を解決するための手段】
【０００４】
上述した課題を解決するために、本発明に係る画像処理装置は、複数の電気光学素子を有する電気光学装置に対して各電気光学素子の階調を示す画像信号を供給する画像処理装置であって、複数の電気光学素子を区分した複数のグループの各々について個別に補正値を取得する取得手段（例えば後述する実施形態における「補正値取得回路５２」）と、各電気光学素子に供給される画像信号（すなわち各電気光学素子の階調を指定する画像信号）を、その電気光学素子が属するグループについて取得手段が取得した補正値に基づいて補正する補正手段（例えば後述する実施形態における「グループ別補正回路５１」）と、補正の無効を指示する信号が入力されると補正手段による補正を無効にする無効化手段とを具備する。
【０００５】
この構成によれば、補正手段による補正を無効としたうえで各電気光学素子に画像信号を供給し、このときに実際に表示された階調を踏まえて各補正値を調整することによって所期の表示特性を容易に得ることができる。なお、本発明における電気光学素子とは、電圧信号や電圧信号の供給によって光学的な特性が変化する性質を備えた素子である。このような素子の典型例としては、有機ＥＬ（高分子、低分子およびデンドリマーの何れであるかを問わない）や発光ポリマーなどのＯＬＥＤ素子が挙げられるが、本発明が適用され得る範囲はこれに限定されない。また、本発明において、「補正手段による補正を無効にする」とは、補正手段に入力された画像信号と補正手段から出力された画像信号とが一致することを意味する。例えば、補正手段が画像信号に対して補正値を乗算する手段であるとすれば、この補正手段による補正が「無効にされる」とは補正値を「１」に設定することを意味する。また、補正が有効である場合と同様に補正値が選定された場合であっても、この補正値を適用した補正が実行されることなく画像信号が出力される場合には補正手段による補正が無効にされていると言える。
【０００６】
より具体的な態様において、複数の電気光学素子の各々は、複数の表示色の何れかを表示するものとされる。この態様において、取得手段は、複数の電気光学素子を表示色ごとに区分した複数のグループの各々について補正値を取得する。この態様によれば、表示色ごとに個別の補正値に基づいて画像信号が補正されるから、特に表示画像のホワイトバランスを調整するために好適である。
【０００７】
複数の電気光学素子をグループに区分する態様は任意である。例えば、各々に電気光学素子が配列された複数のサブパネルを連結してなる電気光学装置の画像処理装置として本発明が適用された場合には、複数の電気光学素子がサブパネルごとにグループに区分される。この場合、取得手段は、複数の電気光学素子をサブパネルごとに区分した複数のグループの各々について補正値を取得する。この態様においては、サブパネルごとに個別の補正値に基づいて画像信号が補正されるから、電気光学装置の全体としての表示特性を調整するために好適である。
【０００８】
本発明の他の態様においては、電気光学素子のグループごとに画像信号を補正する補正手段に加えて、総ての電気光学素子に供給される画像信号に対して（すなわちグループの区別を問わず）共通の補正を実施する共通補正手段（例えば後述する実施形態における「非線形化回路４」）が設けられる。すなわち、共通補正手段は、複数の電気光学素子の各々に供給される画像信号を共通の補正値に基づいて補正する手段であり、上述した補正手段の前段または後段の何れかに配置される。この共通補正手段としては、この共通補正手段に入力される画像信号のレベルの変化に対して、当該共通補正手段から出力される画像信号のレベルが非線形に変化するように各画像信号を補正する手段が採用され得る。このような補正の典型的な例はガンマ補正である。
【０００９】
本発明に係る電気光学装置は、上述した各態様に係る画像処理装置を具備する。さらに詳述すると、この電気光学装置は、各々が画像信号によって示される階調となる複数の電気光学素子と、複数の電気光学素子を区分した複数のグループの各々について個別に補正値を取得する取得手段と、各電気光学素子に供給される画像信号を、その電気光学素子が属するグループについて取得手段が取得した補正値に基づいて補正する補正手段と、補正の無効を指示する信号が入力されると補正手段による補正を無効にする無効化手段とを具備する。この電気光学装置は、例えば各種の電子機器の表示装置として採用される。
【００１０】
さらに、本発明に係る電気光学装置の制御方法は、補正手段による補正を無効にしたうえで各電気光学素子に所定の画像を表示させる第１過程と、グループごとの補正値を取得手段に入力してから補正手段による補正を有効にする第２過程とを有する。この方法によれば、第１過程において補正手段による補正が無効とされたうえで所定の画像が表示されるから、電気光学装置について所期の表示特性が確保される補正値を容易に決定することができる。この方法のうち第１過程においては、所定の画像を表示させた際の前記各電気光学素子の状態に応じて、前記補正値が決定されることが好ましい。さらに、第１過程において、各グループに属する電気光学素子のみに所定の画像を表示させる処理をグループごとに実行することが望ましい。こうすれば、電気光学素子のグループごとに好適な補正値を選定することができるから、各グループについて所期の表示特性を確保することができる。
【発明を実施するための最良の形態】
【００１１】
＜１．第１実施形態＞
まず、電気光学素子としてＯＬＥＤ素子を利用した電気光学装置に本発明を適用した形態を説明する。図１は、本発明の第１実施形態に係る電気光学装置Ｄの構成を示すブロック図である。同図に示されるように、電気光学装置Ｄは、画像を表示する電気光学パネル１と、その前段に配置された制御装置３とを有する。このうち電気光学パネル１は、Ｘ方向に延在して走査線駆動回路２１に接続された複数の走査線１１と、Ｘ方向に直交するＹ方向に延在してデータ線駆動回路２３に接続された複数のデータ線１３とを有する。走査線１１とデータ線１３との各交差には画素Ｐが配置されている。したがって、これらの画素Ｐは、Ｘ方向およびＹ方向にわたって表示領域Ａd内にマトリクス状に配列する。各画素Ｐには、赤色（Ｒ）、緑色（Ｇ）および青色（Ｂ）の何れかが割り当てられている。本実施形態においては、同一色の画素ＰがＹ方向に配列された構成（いわゆるストライプ配列）を例示する。
【００１２】
走査線駆動回路２１は、各走査線１１を順次に選択するための回路である。すなわち、走査線駆動回路２１は、水平走査期間ごとに順番にアクティブレベルとなる走査信号を各走査線１１に対して出力する。一方、データ線駆動回路２３は、各画素Ｐが表示すべき階調に応じた電圧のデータ信号を各走査線１１が選択されている期間において各データ線１３に出力する回路である。
【００１３】
図１に示されるように、複数の画素Ｐの各々は、この画素Ｐに割り当てられた色に発光するＯＬＥＤ素子１５と、このＯＬＥＤ素子１５の挙動を制御するための画素回路（図示略）とを有する。各ＯＬＥＤ素子１５は、画素回路から供給される電流に応じた輝度にて発光する電気光学素子である。画素回路は、データ線１３に供給されたデータ信号の電圧を保持する容量素子を備え、この容量素子に保持された電圧に応じた電流をＯＬＥＤ素子１５に供給する（いわゆる電圧プログラミング方式）。なお、各画素Ｐの画素回路としては、データ線１３に流れる電流に応じた電圧を保持する容量素子を備え、この容量素子に保持された電圧に応じた電流をＯＬＥＤ素子１５に供給する回路（いわゆる電流プログラミング方式）も採用され得る。
【００１４】
一方、図１に示される制御装置３は、水平同期信号や垂直同期信号といった各種の制御信号を走査線駆動回路２１やデータ線駆動回路２３に出力することによって電気光学パネル１の動作を制御する手段である。この制御装置３は、画像処理装置３１を備えている。画像処理装置３１は、画像信号VIDに対して所定の処理を施したうえでデータ線駆動回路２３に出力する。画像信号VIDは、各画素Ｐの表示階調（すなわちＯＬＥＤ素子１５の輝度）を指定するデジタル信号であり、電気光学装置Ｄが搭載される電子機器のＣＰＵなど各種の上位装置（図示略）から画像処理装置３１に対して供給される。
【００１５】
図２は、画像処理装置３１およびその後段のデータ線駆動回路２３の構成を示すブロック図である。同図に示されるように、この画像処理装置３１は、非線形化回路４と、グループ別補正回路５１と、補正値取得回路５２とを有する。このうち非線形化回路４は、上位装置から供給される画像信号VIDに非線形特性を付与するための手段である。より具体的には、非線形化回路４は、画像信号VIDに対してガンマ補正を施す。図３は、上位装置から画像処理装置３１に入力される画像信号VIDが示す階調値と、非線形化回路４から出力される画像信号VIDが示す階調値との関係を示すグラフである。同図に示されるように、非線形化回路４は、上位装置から入力される画像信号VIDによって指定される階調値の変化に対して、この非線形化回路４から出力される画像信号VIDによって指定される階調値が非線形に変化するように画像信号VIDを補正する。このときに画像信号VIDに施される補正の態様は係数（いわゆるガンマ値）ｎによって指定される。この係数（以下「非線形係数」という）ｎは、利用者による指示に応じて上位装置から指定される係数であり、画像信号VIDが何れの発光色の階調を示しているかに拘わらず共通の数値が適用される。
【００１６】
一方、図２に示されるグループ別補正回路５１は、複数の画素Ｐを各々の発光色に応じて区分した各グループごとに画像信号VIDを補正する手段であり、３つの補正回路５１１r、５１１gおよび５１１bを有する。非線形化回路４からシリアルに出力された画像信号VIDは、各ＯＬＥＤ素子１５の発光色の総数に相当する３つの系統に分岐される。そして、このうち赤色に対応する画素Ｐの階調を指定する画像信号（以下では単に「赤色に対応する画像信号」という。他の発光色についても同様である）VIDは補正回路５１１rに供給され、緑色に対応する画像信号VIDは補正回路５１１gに供給され、青色に対応する画像信号VIDは補正回路５１１bに供給される。各補正回路５１１r、５１１gおよび５１１bは、入力された画像信号VIDをそれぞれ補正値Ａr、ＡgおよびＡbに基づいて補正する回路である。より具体的には、補正回路５１１rは、赤色に対応する画像信号VIDに対して補正値Ａrを乗算して出力し、補正回路５１１gは、緑色に対応する画像信号VIDに対して補正値Ａgを乗算して出力し、補正回路５１１bは、青色に対応する画像信号VIDに対して補正値Ａbを乗算して出力する。このように、上述した非線形化回路４においては画像信号VIDに対して発光色に拘わらず共通の補正（非線形特性の付与）が施されるのに対し、グループ別補正回路５１においては、画像信号VIDが各画素Ｐの発光色ごとに別個に補正（グループ別補正）される。
【００１７】
補正値取得回路５２は、各補正回路５１１r、５１１gおよび５１１bによる補正に適用される各補正値Ａr、ＡgおよびＡbを上位装置から個別に取得して各々を補正回路５１１r、５１１gおよび５１１bに出力する回路である。より具体的には、補正値取得回路５２は、図示しないメモリ（例えば書き換え可能なＲＯＭ）に書き込まれた補正値Ａr、ＡgおよびＡbをそれぞれ補正回路５１１r、５１１gおよび５１１bに出力する一方、このメモリに記憶された補正値Ａr、ＡgおよびＡbを上位装置からの指示に応じて更新する。このように、本実施形態においては、各発光色に対応する画像信号VIDに対して別個の補正値Ａr、ＡgおよびＡbに基づく補正が実行されるから、各補正値Ａr、ＡgおよびＡbを適宜に選定することによって容易にホワイトバランスを調整することができる。
【００１８】
図２に示されるように、画像処理装置３１には上位装置から信号Ｓaが入力される。この信号（以下「補正許否信号」という）Ｓaは、各補正回路５１１r、５１１gおよび５１１bによる画像信号VIDの補正を有効とするか無効とするかを指定するための信号である。この補正許否信号Ｓaがアクティブレベルとなって補正の有効が指示されると、グループ別補正回路５１は、上述したように補正値Ａr、ＡgおよびＡbに基づいて画像信号VIDを補正して出力する。これに対し、補正許否信号Ｓaが非アクティブレベルとなって補正の無効が指示されると、補正値取得回路５２は、上位装置から指定された補正値Ａr、ＡgおよびＡbの内容に拘わらず、各補正回路５１１r、５１１gおよび５１１bに供給される補正値Ａr、ＡgおよびＡbを何れも「１」に設定する。したがって、補正許否信号Ｓaが非アクティブレベルになると、非線形化回路４からグループ別補正回路５１に入力された画像信号VIDがそのまま出力される（すなわち補正が無効とされる）ことになる。すなわち、補正値取得回路５２は、グループ別補正回路５１による補正を無効にする手段として機能する。
【００１９】
また、図２に示されるように、データ線駆動回路２３は、デジタルの画像信号VIDをアナログの信号であるデータ信号に変換するＤ／Ａ変換回路２３１を備えている。このＤ／Ａ変換回路２３１から各データ線１３に出力されるデータ信号の電圧レベルの範囲（以下「出力レンジ」という）は係数ｋに応じて変更される。この出力レンジは、画像信号VIDによって最低の階調が指定されたときのデータ信号のレベル（電圧）から、画像信号VIDによって最高の階調が指定されたときのデータ信号のレベルまでの範囲である。したがって、レンジ係数ｋを変更させることによって表示画像のコントラストを調整することができる。すなわち、レンジ係数ｋが大きいほど出力レンジが広くなる（すなわち各階調の間隔が大きくなる）から表示画像のコントラストが増大し、レンジ係数ｋが小さいほど出力レンジが狭くなる（すなわち各階調の間隔が小さくなる）から表示画像のコントラストが低下するといった具合である。このレンジ係数ｋは、非線形係数ｎと同様に、利用者による指示に応じて上位装置から指定される。
【００２０】
次に、図４のフローチャートを参照しながら、電気光学パネル１の表示特性を調整するための手順について説明する。
まず、利用者による上位装置への指示に応じて補正許否信号Ｓaが非アクティブレベルとされ、これによりグループ別補正回路５１による補正が無効とされる（ステップＳ１）。すなわち、補正値取得回路５２から各補正回路５１１r、５１１gおよび５１１bに出力される補正値Ａr、ＡgおよびＡbは何れも「１」に設定される。次いで、非線形係数ｎおよびレンジ係数ｋが所定値に設定される（ステップＳ２）。例えば、非線形係数ｎが「２」に設定されるとともにレンジ係数ｋが「１」に設定される。
【００２１】
次いで、グループ別補正回路５１による補正が無効とされた状態のまま、所定の画像を表す画像信号VIDが上位装置から画像処理装置３１に入力される（ステップＳ３）。この画像信号VIDは、例えば複数の画素Ｐのうち赤色の画素Ｐのみを所定の輝度にて発光させる一方、緑色および青色の画素Ｐの輝度がゼロとなるように選定されている。画像信号VIDは、図３に示されるように非線形化回路４によって非線形特性が付与された後に、グループ別補正回路５１をそのまま（すなわち何らの補正も施されることなく）通過してデータ線駆動回路２３に出力される。図５の特性Ｉ1は、画像処理装置３１に入力された画像信号VIDが示す階調値とグループ別補正回路５１から出力された画像信号VIDが示す階調値との関係を示している。なお、同図においては、赤色に対応する画像信号VIDに関する特性Ｉ1のみが図示されている。図５に示されるように、この段階における画像信号VIDは、非線形化回路４による補正後の特性（図３の特性）が維持されたまま電気光学パネル１に出力される。以上の動作の結果、電気光学パネル１の複数の画素Ｐのうち赤色に対応する画素Ｐのみが所定の輝度にて発光する。そして、この状態における表示領域Ａdの輝度が所定の測定装置（図示略）によって測定される。この後、緑色および青色についても同様の処理が実行される。すなわち、ひとつの発光色のＯＬＥＤ素子１５のみを所定の階調にて発光させる画像信号VIDが上位装置から画像処理装置３１に入力されるとともに、このときの表示領域Ａdの輝度が測定装置によって測定される（ステップＳ３）。
【００２２】
以上の処理によって赤色と緑色と青色とについて輝度の比率が測定された後、この比率（以下「測定輝度比」という）と、所期のホワイトバランスを確保するための所定の比率（以下「目標輝度比」という）とが比較され、この比較結果に基づいて補正値Ａr、ＡgおよびＡbが決定される（ステップＳ４）。例えばいま、目標輝度比が「赤色：緑色：青色＝１０：５０：４０」であり、測定輝度比が「赤色：緑色：青色＝２０：５０：６０」である場合を想定する。この場合には、赤色の補正値Ａrが「１／２（＝１０／２０）」に設定され、緑色の補正値Ａgが「１（＝５０／５０）」に設定され、青色の補正値Ａbが「２／３（＝４０／６０）」に設定される。これらの補正値Ａr、ＡgおよびＡbは、利用者によって上位装置に入力されることによって画像処理装置３１の補正値取得回路５２に指示される。補正値取得回路５２は、こうして指示された新たな補正値Ａr、ＡgおよびＡbによってメモリを更新する。
【００２３】
次いで、利用者による上位装置への指示に応じて補正許否信号Ｓaがアクティブレベルとされ、これによりグループ別補正回路５１による補正が有効とされる（ステップＳ５）。この状態において画像処理装置３１に入力された画像信号VIDは、非線形化回路４によって非線形特性が付与され、さらに各補正回路５１１r、５１１gおよび５１１bによって各発光色ごとに補正値Ａr、ＡgおよびＡbが乗算されたうえで電気光学パネル１に出力される。図５の特性Ｉ2は、この状態において画像処理装置３１に入力された画像信号VID（ここでは赤色に対応する画像信号VID）が示す階調値とグループ別補正回路５１から出力される画像信号VIDが示す階調値との関係を示している。上述したステップＳ５において赤色の補正値Ａrは「１／２」に設定されているから、図５の特性Ｉ2に示されるように、グループ別補正回路５１から出力される画像信号VIDが示す階調値は、補正が無効とされたときの画像信号VIDが示す階調値（特性Ｉ1）の「１／２」となる。そして、緑色および青色に対応する画像信号VIDについても同様の補正が施されるから、各画素Ｐの輝度の比率は「赤色：緑色：青色＝１０：５０：４０」となって目標輝度比に略一致する。
【００２４】
以上に説明したように、本実施形態においては、画像信号VIDに対して画素Ｐの発光色ごとに別個に実施される補正を一括的に無効とすることができるから、この状態で画像を表示させることにより、所期のホワイトバランスが確保されるように各補正値Ａr、ＡgおよびＡbを容易に決定することができる。しかも、本実施形態においては、グループ別補正回路５１による補正のほか、画像信号VIDに対して非線形係数ｎに応じた非線形特性を付与し、さらにデータ信号の出力レンジをレンジ係数ｋに応じて任意に選定することができるから、画像信号VIDに対してグループ別補正回路５１による補正のみを実施する構成と比較して、所期の表示特性を精度よく実現することができるという利点がある。
【００２５】
＜２．第２実施形態＞
次に、本発明の第２実施形態に係る電気光学装置Ｄについて説明する。上記第１実施形態においては、非線形化回路４がグループ別補正回路５１の前段に配置された構成を例示した。これに対し、本実施形態においては、グループ別補正回路５１の後段に非線形化回路４が配置された構成となっている。なお、本実施形態に係る電気光学装置Ｄのうち上記第１実施形態と共通する要素については同一の符号を付してその説明を省略する。
【００２６】
図６は、本実施形態に係る電気光学装置Ｄのうち画像処理装置３１およびデータ線駆動回路２３の構成を示すブロック図である。同図に示されるように、この電気光学装置Ｄにおいては、データ線駆動回路２３がＤ／Ａ変換回路２３１に加えて非線形化回路４を備えている。これらの回路の動作やグループ別補正回路５１の構成は上記第１実施形態と同様である。一方、画像処理装置３１に非線形化回路４は設けられていない。
【００２７】
この構成においては、上位装置から供給された画像信号VIDが各ＯＬＥＤ素子１５の発光色の総数に相当する３つの系統に分岐されたうえで補正回路５１１r、５１１gおよび５１１bにそれぞれ入力され、これにより発光色ごとに画像信号VIDの補正が実施される。さらに詳述すると、図７に特性Ｉ1として示されるように、補正が無効とされている場合には上位装置から供給された画像信号VIDがそのままグループ別補正回路５１から出力される。一方、同図に特性Ｉ2として示されるように、補正が有効とされている場合には各発光色に対応した画像信号VID（ここでは赤色に対応した画像信号VID）に対して補正値Ａrが乗算されたうえでデータ線駆動回路２３に出力される。一方、図８は、データ線駆動回路２３に入力された画像信号VIDが示す階調値と非線形化回路４から出力された画像信号VIDが示す階調値との関係を、グループ別補正回路５１による補正が無効とされた場合（特性Ｉ1）と有効とされた場合（特性Ｉ2）とに分けて示す図である。同図に示されるように、グループ別補正回路５１による補正が無効とされているか有効とされているかに拘わらず、画像信号VIDにはデータ線駆動回路２３の非線形化回路４によって非線形特性が付与される。
【００２８】
本実施形態に係る電気光学装置Ｄの表示特性は上記第１実施形態と同様の手順（図４）によって調整される。この実施形態においても、各画素Ｐへの画像信号VIDに対して画素Ｐの発光色ごとに別個に実施される補正を一括的に無効とすることができるから、上記第１実施形態と同様の効果が得られる。
【００２９】
＜３．第３実施形態＞
次に、図９を参照して、本発明の第３実施形態に係る電気光学装置Ｄについて説明する。なお、本実施形態に係る電気光学装置Ｄのうち上記第１実施形態と共通する要素については同一の符号を付してその説明を省略する。
【００３０】
同図に示されるように、本実施形態における電気光学パネル１は、４つのサブパネルＤs1、Ｄs2、Ｄs3およびＤs4を相互に連結した構成となっている。各サブパネルＤsi（ｉは１≦ｉ≦４を満たす整数）は、上記第１実施形態に示した電気光学パネル１と同様の構成である。すなわち、各サブパネルＤsiは、複数の走査線１１が接続された走査線駆動回路２１と、複数のデータ線１３が接続されたデータ線駆動回路２３と、走査線１１およびデータ線１３の各交差に配置された複数の画素Ｐとを有する。各サブパネルＤsiのデータ線駆動回路２３は、制御装置３の画像処理装置３１に接続されている。上記第１および第２実施形態においては、発光色に応じて区分されたグループごとに画像信号VIDが別個に補正される構成を例示した。これに対し、本実施形態においては、電気光学パネル１が備える総ての画素ＰがサブパネルＤsごとにグループに区分され、各グループに属する画素Ｐの画像信号VIDごとに別個の補正値に基づいて補正が施される構成となっている。
【００３１】
図１０は、本実施形態における画像処理装置３１の構成と各サブパネルＤsiのデータ線駆動回路２３の構成とを示すブロック図である。同図に示されるように、本実施形態においては、データ線駆動回路２３ごとに上記第１実施形態と同様のＤ／Ａ変換回路２３１が設けられている。ただし、本実施形態においては、各サブパネルＤsiのＤ／Ａ変換回路２３１に対して別個のレンジ係数ｋi（ｋ1、ｋ2、ｋ3、ｋ4）が指定される。
【００３２】
一方、画像処理装置３１は、各々が別個のサブパネルＤsiに対応する４つの補正ユニットＵ1、Ｕ2、Ｕ3およびＵ4を備えている。上位装置からシリアルに出力された画像信号VIDは、各々が別個のサブパネルＤsiを出力先とする４つの系統に分岐され、このうち第ｉ番目の系統が補正ユニットＵiに入力される。すなわち、サブパネルＤs1に供給されるべき画像信号VIDは補正ユニットＵ1に入力され、サブパネルＤs2に供給されるべき画像信号VIDは補正ユニットＵ2に入力されるといった具合である。
【００３３】
各補正ユニットＵiは、非線形化回路４と補正回路５１１とを有する。このうち非線形化回路４は、上記第１実施形態の非線形化回路４と同様の構成である。ただし、本実施形態においては、各補正ユニットＵiの非線形化回路４に対して別個の非線形係数ｎi（ｎ1、ｎ2、ｎ3、ｎ4）が指定される。補正ユニットＵiの非線形化回路４は、非線形係数ｎiに応じた非線形特性を画像信号VIDに付与する。
【００３４】
一方、補正ユニットＵ1、Ｕ2、Ｕ3およびＵ4の各補正回路５１１は、それぞれ補正値Ｂ1、Ｂ2、Ｂ3およびＢ4に基づいて画像信号VIDを補正する回路である。すなわち、補正ユニットＵiの補正回路５１１は、非線形化回路４から入力される画像信号VID（すなわちサブパネルＤsiの画素Ｐの階調を指定する画像信号VID）に対して補正値Ｂiを乗算して出力する。各補正値Ｂiは、上記第１実施形態と同様に、上位装置からの指示に応じて補正値取得回路５２が指定する。このように、本実施形態においては、各サブパネルＤsiに属する画素Ｐの画像信号VIDに対して別個の補正が施されるようになっている。図１０に示されるグループ別補正回路５１は４つの補正回路５１１によって構成される。本実施形態においても、上記第１実施形態と同様に、上位装置から供給される補正許否信号Ｓaのレベルに応じて、グループ別補正回路５１による補正の有効および無効が切り替えられるようになっている。すなわち、補正許否信号Ｓaが非アクティブレベルになると、補正値取得回路５２は、補正値Ｂ1ないしＢ4を何れも「１」に設定する。
【００３５】
本実施形態においても、上記第１実施形態と同様に図４の手順によって各サブパネルＤsiの表示特性が調整される。すなわち、まず、グループ別補正回路５１による補正が無効とされたうえで（ステップＳ１）、非線形係数ｎ1ないしｎ4およびレンジ係数ｋ1ないしｋ4が所定値とされ（ステップＳ２）、この状態において何れかのサブパネルＤsiのみに所定の画像が表示されて当該サブパネルＤsの表示領域Ａdにおける輝度が測定される（ステップＳ３）。そして、ステップＳ３の処理を総てのサブパネルＤs1ないしＤs4について実行することによって各サブパネルＤsiの輝度の比率（測定輝度比）を算定し、この測定輝度比と目標輝度比との比較結果に応じて補正値Ｂ1ないしＢ4が決定される。これらの補正値Ｂ1ないしＢ4を補正値取得回路５２に入力した後にグループ別補正回路５１による補正を有効とすることにより（ステップＳ５）、複数のサブパネルＤsiについて輝度のバランスが確保された良好な表示特性のもとで各サブパネルＤsiに画像を表示させることができる。
【００３６】
なお、ここでは非線形化回路４をグループ別補正回路５１の前段に配置した構成を例示したが、上記第２実施形態と同様にグループ別補正回路５１の後段に非線形化回路４が配置された構成も採用され得る。例えば、図１１に示されるように、各サブパネルＤsiのデータ線駆動回路２３がＤ／Ａ変換回路２３１に加えて非線形化回路４を備える構成としてもよい。
【００３７】
＜４．変形例＞
上記各実施形態に対しては種々の変形が加えられ得る。具体的な変形の態様を挙げれば以下の通りである。なお、上記各実施形態や以下の各態様を適宜に組み合わせた構成も採用され得る。
【００３８】
（１）上記第１実施形態と第３実施形態とを組み合わせてもよい。例えば、図１０に示した各補正回路５１１に加えて、各々が別個の発光色に対応する画像信号VIDを補正する３つの補正回路５１１r、５１１gおよび５１１b（図１に示したグループ別補正回路５１）を配置した構成が採用される。この構成によれば、サブパネルＤs1ないしＤs4の輝度比と、各サブパネルＤsiにおける各発光色の輝度比とを双方ともに調整することができる。この構成において、補正値取得回路５２は、各サブパネルＤsiを出力先とする画像信号VIDに乗算される補正値Ｂiと、各サブパネルＤsiに属する各画素Ｐの発光色ごとに設定された補正値Ａri、ＡgiおよびＡbiとを指定する。例えば、サブパネルＤs1については補正値（Ｂ1，Ａr1，Ａg1，Ａb1）を指定する一方、サブパネルＤs2については補正値（Ｂ2，Ａr2，Ａg2，Ａb2）を指定するといった具合である。この構成のもと、サブパネルＤsiを出力先とする画像信号VIDは補正値Ｂ1に基づいて補正され、さらに、この画像信号VIDには各発光色ごとに補正値Ａri、ＡgiおよびＡbiに基づく補正が施される。あるいは、上記第３実施形態のように各サブパネルＤsiごとに補正値Ｂiを指定する構成もとで、各発光色ごとの補正値の初期値Ａr0、Ａg0およびＡb0を予め選定しておき、これらの補正値Ａr0、Ａg0およびＡb0に対して補正値Ｂiを乗算することによって各サブパネルＤsiにおける発光色ごとの補正値Ａri（＝Ａr0×Ｂi）、Ａgi（＝Ａg0×Ｂi）、およびＡbi（＝Ａb0×Ｂi）を算定して補正に適用する構成としてもよい。
【００３９】
（２）上記各実施形態においては、画像信号VIDに対して補正値（Ａr、Ａg、Ａb、Ｂ1ないしＢ4）が乗算される構成を例示したが、画像信号VIDに対する補正の内容はこれに限られない。例えば、画像信号VIDに対して各補正値が加算される構成や、各補正値をガンマ値とするガンマ補正が画像信号VIDに対して施される構成も採用され得る。したがって、グループ別補正回路５１による補正を無効とするための方法も上記各実施形態に示した方法に限られない。例えば、画像信号VIDに対して各補正値が加算される構成においては、各補正値が「０」に設定されることによってグループ別補正回路５１による補正が無効とされる。
【００４０】
さらに、補正値の変更以外の方法によってグループ別補正回路５１の補正を無効としてもい。例えば、図１に示される構成に代えて、図１２に示されるようにグループ別補正回路５１の前段および後段にそれぞれスイッチ５４ａおよび５４ｂを配置し、これらのスイッチ５４ａおよび５４ｂを連結するように伝送路５５が設けられた構成も採用され得る。スイッチ５４ａは、非線形化回路４の出力端の接続先をグループ別補正回路５１および伝送路５５の何れかに切り替え、スイッチ５４ｂは、画像処理装置３１の出力端の接続先をグループ別補正回路５１および伝送路５５の何れかに切り替える。この構成において、補正許否信号Ｓaがアクティブレベルである場合にはグループ別補正回路５１が非線形化回路４と画像処理装置３１の出力端とに接続され（図１２に示される状態）、補正許否信号Ｓaが非アクティブレベルである場合には伝送路５５が非線形化回路４と画像処理装置３１の出力端とに接続されるように、スイッチ５４ａおよび５４ｂの状態が切り替えられる。この構成によっても上記各実施形態と同様に、補正許否信号Ｓaが非アクティブレベルである場合には、非線形化回路４から出力された画像信号VIDがグループ別補正回路５１による補正を経ることなく（すなわち伝送路５５を経由して）データ線駆動回路２３に出力されることになる。なお、ここでは第１実施形態の構成を変形した場合を例示したが、第２および第３実施形態についても同様の変形が加えられ得る。このように、本発明においてグループごとの補正を無効にする手段の態様の如何は不問である。
【００４１】
（３）上記各実施形態においては、画像信号VIDと補正値とを用いた演算処理によって画像信号VIDが補正される構成を例示したが、画像信号VIDを補正するための方法はこれに限られない。例えば、補正前の画像信号VIDと補正後の画像信号VIDとが対応付けられたテーブルを補正値ごとに作成しておき、上位装置から画像信号VIDが供給されると、その時点で補正値取得回路５２により指定されている補正値に対応したテーブルを特定するとともに、このテーブルにおいて当該画像信号VIDに対応付けられている画像信号VIDを出力するといった構成も採用され得る。もっとも、この構成においてはテーブルの規模が過大となる可能性があるから、回路規模の低減という観点からすれば、上記各実施形態のように演算処理により画像信号VIDを補正する構成が望ましい。
【００４２】
（４）上記各実施形態においては、各補正値の選定に際して輝度が測定される構成を例示したが、この構成に代えてまたはこの構成とともに、各画素ＰのＯＬＥＤ素子１５による消費電流を測定する構成も採用され得る。ＯＬＥＤ素子１５の輝度はこれに流れる電流に略比例するから、この電流を測定することによって各ＯＬＥＤ素子１５の階調特性を特定することができる。したがって、例えば各グループのＯＬＥＤ素子１５による消費電流を測定して所期の電流と対比することにより、上記各実施形態と同様に好適な補正値を選定することができる。
【００４３】
（５）上記第１および第２実施形態においては発光色ごとに画素Ｐをグループに区分し、上記第３実施形態においてはサブパネルＤsiごとに画素Ｐをグループに区分した場合を例示したが、画素Ｐをグループに区分する仕方は任意である。例えば、ひとつの電気光学パネル１に複数のデータ線駆動回路２３が配置された構成においては、ひとつのデータ線駆動回路２３に接続された画素Ｐを単位としてグループに区分された構成としてもよい。
【００４４】
（６）上記各実施形態においては、制御装置３および画像処理装置３１が電気光学パネル１とは別個のハードウェアとされた構成を例示したが、これらの各回路が電気光学パネル１に搭載された構成も採用され得る。さらに、制御装置３や画像処理装置３１が走査線駆動回路２１またはデータ線駆動回路２３に内蔵されていてもよい。
【００４５】
（７）上記各実施形態においては電気光学素子としてＯＬＥＤ素子１５を適用した電気光学装置Ｄを例示したが、これ以外の電気光学装置Ｄにも本発明は適用される。例えば、液晶表示装置、電界放出ディスプレイ（ＦＥＤ：Field Emission Display）や表面伝導型電子放出ディスプレイ（ＳＥＤ：Surface-conduction  Electron-emitter  Display）、弾道電子放出ディスプレイ（ＢＳＤ：Ballistic  electron  Surface  emitting  Display）、発光ダイオードを用いた表示装置、あるいは光書込み型のプリンタや電子複写機の書込みヘッドといった各種の電気光学装置Ｄに対しても上記各実施形態と同様に本発明が適用され得る。このように、本発明における電気光学素子とは、電気的なエネルギーの付与（典型的には電気信号の供給）によって透過率や輝度といった光学的な特性が変化する性質を備えた素子であり、この電気光学素子を備えた総ての装置（すなわち電気光学装置Ｄ）に本発明を適用することができる。
【００４６】
＜５．応用例＞
次に、本発明に係る電気光学装置を適用した電子機器について説明する。図１３に、上記各実施形態に係る電気光学装置Ｄを表示装置に適用したモバイル型のパーソナルコンピュータの構成を示す。パーソナルコンピュータ２０００は、表示装置としての電気光学装置Ｄと本体部２０１０とを備える。本体部２０１０には、電源スイッチ２００１およびキーボード２００２が設けられている。
【００４７】
図１４に、上記各実施形態に係る電気光学装置Ｄを適用した携帯電話機の構成を示す。携帯電話機３０００は、複数の操作ボタン３００１およびスクロールボタン３００２、ならびに表示装置としての電気光学装置Ｄを備える。スクロールボタン３００２を操作することによって、電気光学装置Ｄの電気光学パネル１に表示される画面がスクロールされる。
【００４８】
図１５に、上記各実施形態に係る電気光学装置Ｄを適用した情報携帯端末（ＰＤＡ：Personal Digital Assistants）の構成を示す。情報携帯端末４０００は、複数の操作ボタン４００１および電源スイッチ４００２、ならびに表示装置としての電気光学装置Ｄを備える。電源スイッチ４００２を操作すると、住所録やスケジュール帳といった各種の情報が電気光学装置Ｄの電気光学パネル１に表示される。
【００４９】
なお、本発明に係る電気光学装置Ｄが適用される電子機器としては、図１３から図１５に示したもののほか、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。
【図面の簡単な説明】
【００５０】
【図１】本発明の第１実施形態に係る電気光学装置の全体構成を示すブロック図である。
【図２】同電気光学装置のうち画像処理装置の構成を示すブロック図である。
【図３】同画像処理装置のうち非線形化回路の入出力特性を示すグラフである。
【図４】表示特性を調整するための手順を示すフローチャートである。
【図５】同画像処理装置のうちグループ別補正回路の特性を示すグラフである。
【図６】本発明の第２実施形態に係る電気光学装置のうち画像処理装置の構成を示すブロック図である。
【図７】同画像処理装置のうち補正回路の特性を示すグラフである。
【図８】同電気光学装置の非線形化回路の入出力特性を示すグラフである。
【図９】本発明の第３実施形態に係る電気光学装置の全体構成を示すブロック図である。
【図１０】同電気光学装置のうち画像処理装置の構成を示すブロック図である。
【図１１】同実施形態の他の態様に係る電気光学装置のうち画像処理装置の構成を示すブロック図である。
【図１２】変形例に係る画像処理装置の構成を示すブロック図である。
【図１３】本発明に係る電気光学装置を適用したパーソナルコンピュータの構成を示す斜視図である。
【図１４】本発明に係る電気光学装置を適用した携帯電話機の構成を示す斜視図である。
【図１５】本発明に係る電気光学装置を適用した携帯情報端末の構成を示す斜視図である。
【符号の説明】
【００５１】
Ｄ……電気光学装置、Ｐ……画素、１……電気光学パネル、Ｄs1，Ｄs2，Ｄs3，Ｄs4……サブパネル、１１……走査線、１３……データ線、１５……ＯＬＥＤ素子（電気光学素子）、２１……走査線駆動回路、２３……データ線駆動回路、３……制御装置、３１……画像処理装置、４……非線形化回路、５１……グループ別補正回路（補正手段）、５１r、５１g、５１b……補正回路、５２……補正値取得回路（取得手段）、２３１……Ｄ／Ａ変換回路、Ｕ1、Ｕ2、Ｕ3、Ｕ4……補正ユニット、Ｓa……補正許否信号、VID……画像信号、Ａr，Ａg，Ａb，Ｂ1，Ｂ2，Ｂ3，Ｂ4……補正値、ｎ，ｎ1，ｎ2，ｎ3，ｎ4……非線形係数、ｋ，ｋ1，ｋ2，ｋ3，ｋ4……レンジ係数。
【図１】
2005345888.tif 000003
【図２】
2005345888.tif 000004
【図３】
2005345888.tif 000005
【図４】
2005345888.tif 000006
【図５】
2005345888.tif 000007
【図６】
2005345888.tif 000008
【図７】
2005345888.tif 000009
【図８】
2005345888.tif 000010
【図９】
2005345888.tif 000011
【図１０】
2005345888.tif 000012
【図１１】
2005345888.tif 000013
【図１２】
2005345888.tif 000014
【図１３】
2005345888.tif 000015
【図１４】
2005345888.tif 000016
【図１５】
2005345888.tif 000017